(57)【要約】【課題】本発明の課題は、従来のスタンプ・ラリーの利点を生かしつつ、より多くの“思い出”を残すことを可能としたスタンプ・システムを提供することである。【解決手段】非接触通信により検知可能なＩＣチップとスタンプを押印可能な印面とを備える記録媒体と、スタンプ装置と、撮像部を有する写真プリンターと、から構成されるスタンプ・システムであって、前記スタンプ装置は、スタンプを押印するための印版部と、スタンプが押印される際に、通信可能範囲内に入った記録媒体のＩＣチップを検知する検知部と、写真プリンターに写真撮影指示を送信する写真撮影指示部と、を備えて、前記写真プリンターは、スタンプ装置による写真撮影指示を受け付けた後に、撮像部が記録媒体の所持者を撮像した写真データを写真プリントする印刷手段と、を備える、ことを特徴とするスタンプ・システムである。【選択図】図１
2011076277.tif 000002
【特許請求の範囲】
【請求項１】
非接触通信により検知用データを読み取り可能なＩＣチップとスタンプを押印可能な印面とを備える記録媒体と、前記記録媒体の印面に対してスタンプを押印するスタンプ装置と、撮像部を有する写真プリンターと、から構成され、スタンプ装置と写真プリンターとが拠点に設置されるスタンプ・システムであって、
前記スタンプ装置は、
記録媒体の印面に対してスタンプを押印するための印版部と、
スタンプが押印される際に、通信可能範囲内に入った前記記録媒体のＩＣチップの検知用データを読み取ることでＩＣチップを検知する検知部と、
写真プリンターに記録媒体の所持者の写真撮影指示を送信する写真撮影指示部と、
を備えて、
前記写真プリンターは、
記録媒体の所持者を撮像して写真データを生成する撮像部と、
スタンプ装置による写真撮影指示を受け付けた後に、撮像部が撮像した写真データを写真プリントする印刷手段と、
を備える、
ことを特徴とするスタンプ・システム。
【請求項２】
請求項１に記載のスタンプ・システムにおいて、
前記印刷手段は、写真撮影指示を受け付けた時刻から所定の時間が経過した後に撮像部が撮像した写真データを、写真プリントする、
ことを特徴とするスタンプ・システム。
【請求項３】
請求項１に記載のスタンプ・システムにおいて、
前記写真プリンターは、さらに
表示部を有して、
前記撮像部は、スタンプ帖を撮像した写真データを作成して、
この写真データのスタンプ帖をマーカーに設定して、マーカーの三次元空間座標を算出して、その座標を三次元ＣＧキャラクターに適用してレンダリング処理して画像合成して表示するモニター表示手段、
を備えることを特徴とするスタンプ・システム。
【請求項４】
請求項３に記載のスタンプ・システムにおいて、
前記撮像部は、スタンプ帖の代わりに、
スタンプを押印可能な印面、または、印面に押印されたスタンプを撮像した写真データを作成して、
前記モニター表示手段は、
この写真データのスタンプを押印可能な印面、または、印面に押印されたスタンプをマーカーに設定して、マーカーの三次元空間座標を算出して、その座標を三次元ＣＧキャラクターに適用してレンダリング処理して画像合成して表示する、
ことを特徴とするスタンプ・システム。
【請求項５】
非接触通信により記録媒体識別情報を読み取り可能なＩＣチップとスタンプを押印可能な印面とを備える記録媒体と、前記記録媒体の印面に対してスタンプを押印するスタンプ装置と、電子カメラを有する撮影装置と、フォト・プリント装置と、から構成され、スタンプ装置と撮影装置とが拠点に設置され、撮影装置とフォト・プリント装置とがネットワーク接続されるスタンプ・システムであって、
前記スタンプ装置は、
記録媒体の印面に対してスタンプを押印するための印版部と、
スタンプが押印される際に、通信可能範囲内に入った前記記録媒体のＩＣチップの検知用データを読み取ることでＩＣチップを検知する検知部と、
ＩＣチップの記録媒体識別情報を読み取る取得部と、
取得部が読み取った記録媒体識別情報を含む写真撮影指示を作成して、これを撮影装置に送信する写真撮影指示部と、
を備えて、
前記撮影装置は、
スタンプ装置が送信する写真撮影指示に含まれる記録媒体識別情報を、電子カメラが撮像した写真データに対応付けて、これを写真プリンターに送信する写真データ送信手段、
を備えて
前記フォト・プリント装置は、
撮影装置が送信する記録媒体識別情報が対応付けられた写真データを記憶する記憶部と、
通信可能範囲内に入った前記記録媒体のＩＣチップの検知用データを読み取ることでＩＣチップを検知する検知部と、
ＩＣチップの記録媒体識別情報を読み取る取得部と、
撮影装置が送信する写真データを受け付けて、記憶部に保持する写真データ受信手段と、
取得部が読み取ったＩＣチップの記録媒体識別情報と同じ記録媒体識別情報を持つ写真データを記憶部から読み出して、写真プリントする印刷手段と、
を備える、
ことを特徴とするスタンプ・システム。
【請求項６】
請求項１または請求項５に記載のスタンプ・システムにおいて、
前記印刷手段は、
写真データから抽出した記録媒体の所持者の顔画像の脇にスタンプ・ラリーのキャラクターを合成する機能、
を備えることを特徴とするスタンプ・システム。
【請求項７】
請求項１または請求項５に記載のスタンプ・システムにおいて、
前記印刷手段は、
スタンプ装置による写真撮影指示を受け付けて保持して、写真データから抽出した記録媒体の所持者の顔画像の個数を計測して、保持した写真撮影指示の中から、最新の写真撮影指示を顔画像の個数分を読み取って、それに含まれるＲＦＩＤチップ識別情報を読み取って、ラリーチームの人数やＲＦＩＤチップ識別情報を含むラリーチーム属性情報を作成する機能、
を備えることを特徴とするスタンプ・システム。
【請求項８】
非接触通信により検知用データを読み取り可能なＩＣチップとスタンプを押印可能な印面とを備える記録媒体と、前記記録媒体の印面に対してスタンプを押印するスタンプ装置と、電子カメラを有する写真プリンターと、を用いるスタンプ・ラリー方法であって、
スタンプ装置と写真プリンターとが拠点に設置されるスタンプ・ラリー方法において、
スタンプ装置が、スタンプが押印される際に、通信可能範囲内に入った前記記録媒体のＩＣチップの検知用データを読み取ることでＩＣチップを検知する検知ステップと、
写真プリンターに記録媒体の所持者の写真撮影指示を送信する写真撮影指示ステップと、
写真プリンターが、スタンプ装置による写真撮影指示を受け付けて、電子カメラが撮像した写真データを写真プリントする印刷ステップと、
を含んだ手順でなされることを特徴とするスタンプ・ラリー方法。
【請求項９】
非接触通信により記録媒体識別情報を読み取り可能なＩＣチップとスタンプを押印可能な印面とを備える記録媒体と、前記記録媒体の印面に対してスタンプを押印するスタンプ装置と、電子カメラを有する撮影装置と、フォト・プリント装置と、を用いるスタンプ・ラリー方法であって、
スタンプ装置と撮影装置とが拠点に設置され、撮影装置とフォト・プリント装置とがネットワーク接続されるスタンプ・ラリー方法において、
スタンプ装置が、スタンプが押印される際に、通信可能範囲内に入った前記記録媒体のＩＣチップの記録媒体識別情報を読み取ることでＩＣチップを検知する検知ステップと、
読み取った記録媒体識別情報を含む写真撮影指示を作成して、これを撮影装置に送信する写真撮影指示ステップと、
撮影装置が、写真撮影指示に含まれる拠点データと記録媒体識別情報を、電子カメラが撮像した写真データに対応付けて、これをフォト・プリント装置に送信する写真データ送信ステップと、
フォト・プリント装置が、記録媒体識別情報が対応付けられた写真データを受け付けて、記憶部に保持する写真データ受信ステップと、
フォト・プリント装置が、通信可能範囲内に入った前記記録媒体のＩＣチップの記録媒体識別情報を読み取ることでＩＣチップを検知するＩＣ検知ステップと、
読み取ったＩＣチップの記録媒体識別情報と同じ記録媒体識別情報を持つ写真データを記憶部から読み出して、写真プリントする印刷ステップと、
を含んだ手順でなされることを特徴とするスタンプ・ラリー方法。
【請求項１０】
コンピューターに組込むことによって、コンピューターを請求項１から請求項７までのいずれか１項に記載のスタンプ・システムとして動作させるコンピュータープログラム。
【請求項１１】
請求項１０に記載のコンピュータープログラムを記録したコンピューター読取り可能な記録媒体。
【発明の詳細な説明】
【技術分野】
【０００１】
本発明は、たとえばスタンプ・ラリーに用いられるスタンプ・システム、方法、プログラム、記録媒体に関するものである。
本発明は特に親子連れでのスタンプ・ラリー参加者にとって、より多くの思い出を残す場合に有用である。
【背景技術】
【０００２】
従来から、展覧会やテーマパーク等の複数の拠点においてスタンプ・ラリー参加者がスタンプをスタンプ用台紙に押印していくスタンプ・ラリーが知られている。
このスタンプ・ラリーは、親子連れでの利用も多く、スタンプ用台紙が、親子の思い出を残すことに役立っている。
【０００３】
たとえば、特許文献１には、従来のスタンプ・ラリーにおける、スタンプ用台紙の準備やスタンプを設置する場所の選定などの問題点を解決するために、携帯電話を用いたスタンプラリーシステムが提案されている。この携帯電話を用いたスタンプラリーシステムでは、ある時刻における携帯電話の位置を証明するスタンプを発行することにより、スタンプ・ラリー主催者がスタンプ用台紙やスタンプを設置する場所などを準備することなくスタンプ・ラリーを遂行することが可能になっている。
【先行技術文献】
【特許文献】
【０００４】
【特許文献１】特開２００４−１３９１９３号公報（段落００２５、図４）
【発明の概要】
【発明が解決しようとする課題】
【０００５】
しかしながら、特許文献１に開示されるような携帯電話を用いたスタンプラリーシステムでは、物として残る“思い出”的な要素が少なく、ラリー参加者にとって満たされない思いが残るといった問題がある。
【０００６】
本発明は以上の点を解決するためになされたものであって本発明の課題は、従来のスタンプ・ラリーの利点を生かしつつ、より多くの“思い出”を残すことを可能としたスタンプ・システム、方法、プログラム、記録媒体を提供することである。
【課題を解決するための手段】
【０００７】
本発明は、以下の各態様に記載の手段により、前記課題を解決する。
すなわち、本願発明の第１の発明は、非接触通信により検知用データを読み取り可能なＩＣチップとスタンプを押印可能な印面とを備える記録媒体と、前記記録媒体の印面に対してスタンプを押印するスタンプ装置と、撮像部を有する写真プリンターと、から構成され、スタンプ装置と写真プリンターとが拠点に設置されるスタンプ・システムであって、
前記スタンプ装置は、
記録媒体の印面に対してスタンプを押印するための印版部と、
スタンプが押印される際に、通信可能範囲内に入った前記記録媒体のＩＣチップの検知用データを読み取ることでＩＣチップを検知する検知部と、
写真プリンターに記録媒体の所持者の写真撮影指示を送信する写真撮影指示部と、
を備えて、
前記写真プリンターは、
記録媒体の所持者を撮像して写真データを生成する撮像部と、
スタンプ装置による写真撮影指示を受け付けた後に、撮像部が撮像した写真データを写真プリントする印刷手段と、
を備える、
ことを特徴とするスタンプ・システムである。
【０００８】
このように、スタンプ・ラリーの拠点で写真を撮影することが可能である。
【０００９】
本願発明の第２の発明は、第１の発明に記載のスタンプ・システムにおいて、
前記印刷手段は、写真撮影指示情報を受け付けてから所定の時間が経過した後に撮像部が撮像した写真データを写真プリントする、
ことを特徴とするスタンプ・システムである。
【００１０】
本願発明の第３の発明は、第１の発明に記載のスタンプ・システムにおいて、
前記写真プリンターは、さらに
表示部を有して、
前記撮像部は、スタンプ帖を撮像した写真データを作成して、
この写真データのスタンプ帖をマーカーに設定して、マーカーの三次元空間座標を算出して、その座標を三次元ＣＧキャラクターに適用してレンダリング処理して画像合成して表示するモニター表示手段、
を備えることを特徴とするスタンプ・システムである。
【００１１】
本願発明の第４の発明は、第３の発明に記載のスタンプ・システムにおいて、
前記撮像部は、スタンプ帖の代わりに、
スタンプを押印可能な印面、または、印面に押印されたスタンプを撮像した写真データを作成して、
前記モニター表示手段は、
この写真データのスタンプを押印可能な印面、または、印面に押印されたスタンプをマーカーに設定して、マーカーの三次元空間座標を算出して、その座標を三次元ＣＧキャラクターに適用してレンダリング処理して画像合成して表示する、
ことを特徴とするスタンプ・システムである。
【００１２】
本願発明の第５の発明は、非接触通信により記録媒体識別情報を読み取り可能なＩＣチップとスタンプを押印可能な印面とを備える記録媒体と、前記記録媒体の印面に対してスタンプを押印するスタンプ装置と、電子カメラを有する撮影装置と、フォト・プリント装置と、から構成され、スタンプ装置と撮影装置とが拠点に設置され、撮影装置とフォト・プリント装置とがネットワーク接続されるスタンプ・システムであって、
前記スタンプ装置は、
自己が設置される拠点を示す拠点データを記憶する記憶部と、
記録媒体の印面に対してスタンプを押印するための印版部と、
スタンプが押印される際に、通信可能範囲内に入った前記記録媒体のＩＣチップの検知用データを読み取ることでＩＣチップを検知する検知部と、
ＩＣチップの記録媒体識別情報を読み取る取得部と、
記憶部が記憶する拠点データと取得部が読み取った記録媒体識別情報を含む写真撮影指示を作成して、これを撮影装置に送信する写真撮影指示部と、
を備えて、
前記撮影装置は、
スタンプ装置が送信する写真撮影指示に含まれる拠点データと記録媒体識別情報を、電子カメラが撮像した写真データに対応付けて、これをフォト・プリント装置に送信する写真データ送信手段、
を備えて
前記フォト・プリント装置は、
撮影装置が送信する拠点データと記録媒体識別情報が対応付けられた写真データを記憶する記憶部と、
通信可能範囲内に入った前記記録媒体のＩＣチップの検知用データを読み取ることでＩＣチップを検知する検知部と、
ＩＣチップの記録媒体識別情報を読み取る取得部と、
撮影装置が送信する写真データを受け付けて、記憶部に保持する写真データ受信手段と、
取得部が読み取ったＩＣチップの記録媒体識別情報と同じ記録媒体識別情報を持つ写真データを記憶部から読み出して、写真プリントする印刷手段と、
を備える、
ことを特徴とするスタンプ・システムである。
【００１３】
撮影した写真のプリントは、スタンプラリーゴール後に受け取るので、ラリー中には所持する必要はない。
【００１４】
本願発明の第６の発明は、第１または第５の発明に記載のスタンプ・システムにおいて、
前記印刷手段は、
写真データから抽出した記録媒体の所持者の顔画像の脇にスタンプ・ラリーのキャラクターを合成する機能、
を備えることを特徴とするスタンプ・システムである。
【００１５】
本願発明の第７の発明は、第１または第５の発明に記載のスタンプ・システムにおいて、
前記印刷手段は、
スタンプ装置による写真撮影指示を受け付けて保持して、写真データから抽出した記録媒体の所持者の顔画像の個数を計測して、保持した写真撮影指示の中から、最新の写真撮影指示を顔画像の個数分を読み取って、それに含まれるＲＦＩＤチップ識別情報を読み取って、ラリーチームの人数やＲＦＩＤチップ識別情報を含むラリーチーム属性情報を作成する機能、
を備えることを特徴とするスタンプ・システムである。
【００１６】
本願発明の第８の発明は、非接触通信により検知用データを読み取り可能なＩＣチップとスタンプを押印可能な印面とを備える記録媒体と、前記記録媒体の印面に対してスタンプを押印するスタンプ装置と、電子カメラを有する写真プリンターと、を用いるスタンプ・ラリー方法であって、
スタンプ装置と写真プリンターとが拠点に設置されるスタンプ・ラリー方法において、
スタンプ装置が、スタンプが押印される際に、通信可能範囲内に入った前記記録媒体のＩＣチップの検知用データを読み取ることでＩＣチップを検知する検知ステップと、
写真プリンターに記録媒体の所持者の写真撮影指示を送信する写真撮影指示ステップと、
写真プリンターが、スタンプ装置による写真撮影指示を受け付けた後に電子カメラにて撮像した写真データを、写真プリントする印刷ステップと、
を含んだ手順でなされることを特徴とするスタンプ・ラリー方法ことを特徴とするスタンプ・システムである。
【００１７】
本願発明の第９の発明は、非接触通信により記録媒体識別情報を読み取り可能なＩＣチップとスタンプを押印可能な印面とを備える記録媒体と、前記記録媒体の印面に対してスタンプを押印するスタンプ装置と、電子カメラを有する撮影装置と、フォト・プリント装置と、を用いるスタンプ・ラリー方法であって、
スタンプ装置と撮影装置とが拠点に設置され、撮影装置とフォト・プリント装置とがネットワーク接続されるスタンプ・ラリー方法において、
スタンプ装置が、スタンプが押印される際に、通信可能範囲内に入った前記記録媒体のＩＣチップの記録媒体識別情報を読み取ることでＩＣチップを検知する検知ステップと、
読み取った記録媒体識別情報を含む写真撮影指示を作成して、これを撮影装置に送信する写真撮影指示ステップと、
撮影装置が、写真撮影指示に含まれる拠点データと記録媒体識別情報を、電子カメラが撮像した写真データに対応付けて、これをフォト・プリント装置に送信する写真データ送信ステップと、
フォト・プリント装置が、記録媒体識別情報が対応付けられた写真データを受け付けて、記憶部に保持する写真データ受信ステップと、
フォト・プリント装置が、通信可能範囲内に入った前記記録媒体のＩＣチップの記録媒体識別情報を読み取ることでＩＣチップを検知するＩＣ検知ステップと、
読み取ったＩＣチップの記録媒体識別情報と同じ記録媒体識別情報を持つ写真データを記憶部から読み出して、写真プリントする印刷ステップと、
を含んだ手順でなされることを特徴とするスタンプ・ラリー方法である。
【００１８】
本願発明の第１０の発明は、コンピューターに組込むことによって、コンピューターを第１の発明から第７の発明までのいずれか１項に記載のスタンプ・システムとして動作させるコンピュータープログラムである。
【００１９】
本願発明の第１１の発明は、第１０の発明に記載のコンピュータープログラムを記録したコンピューター読取り可能な記録媒体である。
【発明の効果】
【００２０】
本願発明によれば、
（１）スタンプ・ラリーの拠点で写真を撮影することが可能である。
撮影した写真をその場でラリー参加者に渡すようにしても良いし、スタンプラリーゴール後に渡すようにしてもよい。
（２）写真にスタンプ・ラリーのキャラクターを合成することで、スタンプ・ラリー参加者だけが入手できる特色のある写真を撮影することが可能である。
従って、本発明によれば、ラリー参加者は、スタンプ帳とラリーの写真を記念として手に入れられるため、より多くの“思い出”を残すことができるという効果がある。
【図面の簡単な説明】
【００２１】
【図１】図１は、スタンプ・システム１の全体構成を説明する図である。
【図２】図２は、スタンプ・システム１における写真撮影の手順を説明する図である。
【図３】図３は、スタンプ装置の仕組みを説明する図である。
【図４】図４は、スタンプ帖の仕組みを説明する図である。
【図５】図５は、参加者を撮影する様子を説明する図である。
【図６】図６は、写真プリントの例を説明する図である。
【図７】図７は、写真プリンター２００の詳細な構成図である。
【図８】図８は、スタンプ装置の動作を説明する図である。
【図９】図９は、スタンプ・システム２の全体構成を説明する図である。
【図１０】図１０は、スタンプ・システム２における写真撮影の手順を説明する図である。
【図１１】図１１は、撮影装置４００の詳細な構成を説明する図である。
【図１２】図１２は、フォト・プリント装置８００の詳細な構成を説明する図である。
【発明を実施するための形態】
【００２２】
以下、図面等を参照しながら、本発明の実施の形態について、更に詳しく説明する。
【実施例１】
【００２３】
図１は、本発明のスタンプ・システムスタンプ・システム１の概要を説明する図である。
スタンプ・システム１は、写真プリンター２００が無線あるいは有線接続されたスタンプ装置１００と、スタンプ帖７００（記録媒体）と、から構成される。
このスタンプ・システム１は、たとえばスタンプ・ラリーに用いられる。スタンプ・ラリーが行われる各拠点（例えば、拠点Ａ、拠点Ｂ・・・）には、夫々、同一の構成及び機能を有するスタンプ装置１００と写真プリンター２００とが設置されている。
【００２４】
スタンプ装置１００は、スタンプ帖７００の印面に対してスタンプを押印して印影を記録させる。
スタンプ装置１００は、自己が設置される拠点を示す拠点データを記憶する記憶部と、
ＲＦＩＤリーダーライター（Ｒ／Ｗ）と、を備えたものである（詳細は後述する）。
ここで、ＲＦＩＤは、Ｒａｄｉｏ Ｆｒｅｑｕｅｎｃｙ Ｉｄｅｎｔｉｆｉｃａｔｉｏｎ の略である。
【００２５】
写真プリンター２００は、スタンプ・ラリー参加者を撮像して、写真プリント２０１を出力する。
写真プリンター２００は、既存のパーソナルコンピューターに電子カメラとカメラモニター（＝表示装置）とを備えて、後述する専用プログラムを搭載したものである。
【００２６】
スタンプ帖７００は、ＲＦＩＤチップ７０１（ＩＣチップ）と、スタンプを押印可能な印面を有する複数のページを備える（詳細は後述する）。
【００２７】
以上のスタンプ装置１００とスタンプ帖７００の構成において、スタンプ装置１００（ＣＰＵ）は、スタンプ帖７００の印面にスタンプが押印される際に、スタンプ帖７００のＲＦＩＤチップ７０１を検知し、当該ＲＦＩＤチップに記録されているデータの読み出しや、当該ＲＦＩＤチップへのデータの書き込みを行う。
一方、スタンプ帖７００のＲＦＩＤチップ７０１は、メモリーが記録するデータを、スタンプ帖７００の複数のページを透過させて、スタンプ装置１００に読み出しや書き込みをさせる。
【００２８】
図５は、スタンプ・ラリー参加者９００がスタンプ・システム１を利用するときの様子を説明する図である。
図５の（ａ）は、拠点のスタンプ・ラリー参加者９００の例である。
スタンプ・ラリー参加者は、各自が１冊のスタンプ帖７００を所持する。
拠点に到着したスタンプ・ラリー参加者（記録媒体の所持者）９００が、写真プリンター２００の上で、スタンプ装置１００を用いて、スタンプ帖７００にスタンプを押印する様子を示している。
電子カメラ３００は、スタンプを押印するスタンプ・ラリー参加者９００を撮像できるように設置されている。
また、撮影モニター５０１（=表示装置）は、電子カメラ３００が撮像する写真画像を表示させて、スタンプ・ラリー参加者９００がこれを目視できるように、設置されている。
図５の（ｂ）は、撮影モニター５０１の画面の例である。
電子カメラ３００が撮像するスタンプ・ラリー参加者９００の画像が表示されている。スタンプ・ラリー参加者９００は、撮影モニター５０１の画面を目視して、撮影ポーズを確認することができる。
【００２９】
図２は、スタンプ・システム１の利用手順の概要を説明する図である。
（１）スタンプ・ラリー参加者９００は、スタンプ帖７００を持って、各拠点Ａ、拠点Ｂ・・・を回り、各拠点に設置されているスタンプ装置１００を用いて、スタンプ帖７００に押印してスタンプの印影を記録する。
（２）スタンプ装置１００はスタンプ帖のＩＣチップを検知して、写真プリンター２００に、写真撮影指示情報を送信する。
（３）写真プリンター２００は、スタンプ装置１００が送信する写真撮影指示情報を受け付けて、撮影モニター画面を用いてスタンプ・ラリー参加者に撮影ポーズを確認させながら、表示ガイダンスや音声ガイダンスにて撮影のタイミングを知らせて、スタンプ帖にスタンプを押印したスタンプ・ラリー参加者９００を電子カメラ３００にて撮影する。
（４）写真プリンター２００は、スタンプ・ラリー参加者の写真データを用いて、カラープリンターで、写真プリント２０１を出力する。
（５）スタンプ・ラリー参加者９００は、写真プリント２０１を受け取り、スタンプ帖７００に収納する。
（６）スタンプ・ラリー参加者９００は、最終拠点（ラリーのゴール）に到達するまで、（１）から（５）までの作業を繰り返す。
【００３０】
図４は、本実施形態によるスタンプ帖７００の構成を説明する図である。
スタンプ帖７００は、１個のＲＦＩＤチップ７０１と、表紙と、スタンプを押印可能な印面を有する複数のページから構成される。
【００３１】
図４の（ａ）は、スタンプ帖７００の裏表紙を説明する図である。
図４の（ａ）に例示した裏表紙には、１個のＲＦＩＤチップ７０１が埋め込まれている。
ＲＦＩＤチップ７０１には、チップに固有の情報(ＲＦＩＤチップ識別情報。ユニークな数字列など)等が予め記憶されている。
なお、当該ＲＦＩＤチップ７０１が埋め込まれる場所は裏表紙にすることがＲＦＩＤの非接触通信上望ましいが、他の場所に埋め込まれるようにしても構わない。
また、ＲＦＩＤチップ７０１はスタンプ帖７００に埋め込まれるのではなく、貼り付けられるようにしても構わない。
また、ＲＦＩＤチップ７０１が埋め込まれたカードが、スタンプ帖７００の裏表紙に埋め込まれ（または貼り付けられ）る構成としても良い。
また、ＲＦＩＤチップ７０１またはこれが埋め込まれたカードが、スタンプ帖７００の裏表紙に設けられたポケットに挿入されるように構成しても良い。
【００３２】
ここで、スタンプ帖７００には、１個のＲＦＩＤチップ７０１が埋め込まれているので、ＲＦＩＤチップ識別情報は、スタンプ帖識別情報として用いることができる。
また、ラリー参加者９００は、１冊のスタンプ帖７００を所持するので、ＲＦＩＤチップ識別情報は、ラリー参加者識別情報として用いることができる。
【００３３】
図４の（ｂ）は、スタンプ帖７００の印面を有するページを説明する図である。
図４の（ｂ）に例示した印面を有するページには、スタンプを押印する領域を示す枠印が印刷されている。
【００３４】
なお、スタンプ帖７００の裏表紙と、印面を有するページと、の関係において、ＲＦＩＤチップ７０１のアンテナの中央と各印面ページに印刷された枠印の中央とが、概ね一致するようになっている。
【００３５】
図４の（ｃ）は、スタンプが押印された印面ページを説明する図である。
図４の（ｃ）に例示した印面ページの枠印には、押印されたスタンプが記録されている。
【００３６】
図３は、本実施形態によるスタンプ装置１００の構成を説明する断面図である。
図３に示すように、スタンプ装置１００は、電源プラグ１０１と、筐体グリップ部１０２と、筐体スタンプ部１０３と、化粧・認識用ＬＥＤ（発光ダイオード）１０４と、ＲＦＩＤリーダーライター１０８と、スピーカー（またはブザー）１０７と、ＲＦＩＤアンテナ１０９と、ＲＦＩＤリーダーライター通信スイッチ（以下、「Ｒ／Ｗ通信スイッチ」という）１１０と、及びスタンプを押印するための印版部としてのゴム印１０９等を備えて構成されている。
【００３７】
ＲＦＩＤリーダーライター１０８は、ＣＰＵ、揮発性メモリー（たとえば、ＲＡＭ）、不揮発性メモリー（たとえば、ＲＯＭ）、等を備え、計時（時計）機能を有する。
このＲＦＩＤリーダーライターは、非接触ＩＣカード技術を採用しており、当該技術を採用したＩＣチップ（以下、「ＲＦＩＤチップ」という）からのデータの読み取り、及び当該ＲＦＩＤチップへのデータの書き込みを、非接触通信により行うことが可能になっている。なお、非接触ＩＣカード技術には、たとえば、ＩＳＯ１４４４３の技術やＩＳＯ/ＩＥＣ１８０９２などを適用すれば良い。
【００３８】
ここで、ＲＦＩＤリーダーライター１０８の処理手順を説明する。
ＲＦＩＤリーダーライター１０８は、Ｒ／Ｗ通信スイッチ１１０がＯＮ（オン）であるときに、通信可能範囲内（例えば、１０ｃｍ程度）に入ったＲＦＩＤチップ７０１を、ＲＦＩＤアンテナ１０９を介して検知し（ここで、「ＲＦＩＤチップの検知」とは、ＲＦＩＤチップからＲＦＩＤチップ識別情報を取得することができれば、ＲＦＩＤチップを検知したということである）、当該ＲＦＩＤチップ７０１に電波（例えば１３．５６ＭＨｚ）を発信することでＲＦＩＤチップに電力を供給（電磁誘導による）し、キャリアの変調により当該ＲＦＩＤチップとの間でデータ通信（ＲＦＩＤの非接触通信）を行うことにより、当該ＲＦＩＤチップからのデータの読み取り及び当該ＲＦＩＤチップへのデータの書き込みを非接触で行う。
【００３９】
なお、ＲＦＩＤリーダーライター１０８及びＲＦＩＤアンテナ１０９は、本発明における検知部及び取得部を構成する。
【００４０】
また、ＲＦＩＤリーダーライター１０８に備えられる不揮発性メモリーの所定の記憶領域には、上述した拠点データが記憶されている。
【００４１】
Ｒ／Ｗ通信スイッチ１１０は、図３に示すように、スタンプ装置１００がスタンプ台１０５に設置されているときは、スタンプ台１０５におけるＲ／Ｗ通信スイッチ押し出し突起１１２により付勢されるためＯＦＦに、スタンプ装置１００がスタンプ台１０５から離れるとＲ／Ｗ通信スイッチ押し出し突起１１２による付勢が解かれるためＯＮになる。
【００４２】
ゴム印１０９のスタンプ台１０５側の印面には、所定の文字、図形等のキャラクターの像形状が形成されており、反対の面は図示のように筐体スタンプ部１０３に接着されている。
また、スタンプ装置１００がスタンプ台１０５に置かれている状態では、ゴム印１０９の印面は、スタンプ台１０５に設けられた朱肉１１１に接している。そして、スタンプ・ラリー参加者がスタンプ装置１００を持ち上げ、上記ゴム印１０９の印面を、スタンプ帖７００の印面（紙面）に押し当てると上記像形状のスタンプが押印されることになる。なお、印版部としては、ゴム印の他にも、撓み易い材質の印であっても良い。
【００４３】
ここで、スタンプ装置１００のＲ／Ｗ通信スイッチ１１０は、感圧センサーを有するＲ／Ｗ通信スイッチでも良い。このとき、Ｒ／Ｗ通信スイッチ１１０の感圧センサーは、捺印したタイミングで圧力を検知し、スイッチが入る仕組みとすればよい。
【００４４】
図８は、スタンプ装置１００の動作手順を示す図である。
（ａ）スタンプ装置１００は、スタンプ台１０５に設置されており、Ｒ／Ｗ通信スイッチ１１０はＯＦＦになっている。
（ｂ）次に、スタンプ・ラリー参加者９００がスタンプ装置１００をスタンプ台１０５から持ち上げると、Ｒ／Ｗ通信スイッチ１１０がＯＮになるので、スタンプ装置１００は、これに応じてＲＦＩＤチップに対してＩＤ取得コマンドを発行（これは定期的に行われる）し、ＲＦＩＤアンテナ１０９を介して出力する。
（ｃ）そして、スタンプ装置１００は、ＲＦＩＤアンテナ１０９を介してＲＦＩＤチップ７０１からのＲＦＩＤチップ識別情報を取得することで、当該ＲＦＩＤチップ７０１を検知すると、化粧・認識用ＬＥＤ１０４を点灯させると共に、完了通知音を再生しスピーカー（またはブザー）１０７を通じて出力させる。
【００４５】
（ｄ）スタンプ装置１００は、取得したＲＦＩＤチップ識別情報を含む写真撮影指示情報を作成して、非接触通信または有線通信により、写真プリンター２００に送信する。
【００４６】
図６は、本実施形態による写真プリントを説明する図である。
図６の（ａ）は、拠点で撮影した写真プリントが例示されている。
例示されている写真プリントには、スタンプ・ラリー参加者が写っている。
図６の（ｂ）は、拠点で撮影した写真プリントが例示されている。
例示されている写真プリントには、スタンプ・ラリー参加者の顔の横にＣＧキャラクター（たとえば、ハートマーク）が合成されている。
【００４７】
図７は、写真プリンター２００の詳細な構成を説明する図である。
写真プリンター２００は、制御装置５００と、電子カメラ３００と、カラープリンター４００と、を含んで構成される。
【００４８】
電子カメラ３００は、ＵＳＢ接続やＬＡＮ接続が可能なＷＥＢカメラやＵＳＢカメラなどである。電子カメラ３００は、写真データを連続して生成するカメラであれば、ＷＥＢカメラやＵＳＢカメラ以外のものでもよい。
電子カメラ３００は、ラリー参加者９００を撮像して写真データ３９１を作成して、制御装置５００に送信する。
カラープリンター４００は、制御装置５００が送信する印刷データを受信して、写真プリント２０１を出力（印刷）する。
【００４９】
制御装置５００は、既存のパーソナルコンピューターである。
制御装置５００は、表示部５０１と、ＣＰＵ５０８と、画像受信部５０２と、Ｒ／Ｗ制御部５０４と、印刷制御部５０５と、入力部５０７と、ネットワーク通信部５０３と、記憶部５０９と専用プログラムとを備える。
表示部５０１と、画像受信部５０２と、ネットワーク通信部５０３と、Ｒ／Ｗ制御部５０４と、印刷部５０５と、入力部５０７と、ＣＰＵ５０８と、記憶部５０９とは、ＢＵＳ５９９で接続される。
【００５０】
ＣＰＵ５０８は、中央演算装置である。
表示部５０１は、液晶表示装置やＥＬ示装置などである。
画像受信部５０２は、ＵＳＢアダプターあるいはＬＡＮアダプターである。
ネットワーク通信部５０３は、ＬＡＮアダプターである。
Ｒ／Ｗ制御部５０４は、ＲＦＩＤリーダーライター接続アダプターである。
印刷制御部５０５は、ＵＳＢアダプターである。
入力部５０７は、マウスやキーボードである。
【００５１】
記憶部５０９は、半導体メモリーや磁気メモリーである。
記憶部１０９は、画像データ格納領域０９１と、画像認識プログラム１８３と、オペレーティングシステム１８５と、専用プログラムとを記憶する。
【００５２】
画像データ格納領域０９１は、写真データ３９１を格納する。
【００５３】
画像認識プログラム５８３は、周知の画像認識アルゴリズムを用いたプログラムである。
オペレーティングシステム５８５は、コンピューターのハードウェア（たとえば、表示部５０１と、ＣＰＵ５０８と、画像受信部５０２と、Ｒ／Ｗ制御部５０４と、印刷部５０５と、記憶部５０９など）を管理・制御して、応用ソフトウエア（たとえば、画像認識プログラム１８３や専用プログラムなど）に対して、これらのハードウェアを利用できるようなサービスを提供する基本ソフトウエアである。
【００５４】
この他に、モニター表示手段５１０と、印刷手段５３０と、を備える。これらの各手段は、それぞれの専用プログラムによって実現され、専用プログラムがＣＰＵ５０８に解釈・実行されることによって機能する。
【００５５】
モニター表示手段５１０は、電子カメラ３００が送信する写真データ３９１を受信して、これを保持して、表示部５０１に表示する。
【００５６】
印刷手段５３０は、写真撮影指示情報１９１を受け付けて、モニター表示手段５１０が保持した写真データを読み取り、印刷部５０５を介してカラープリンター４００に送信する。
印刷手段５３０は、写真撮影指示情報１９１を受信して、所定の時間（セルフターマー時間）が経過した後にモニター表示手段５１０が保持した写真データ１９１を印刷部５０５を介してカラープリンター４００に送信するようにしてもよい。
【００５７】
以上説明したように、上記実施例１によれば、拠点で撮影した記念写真をスタンプ・ラリー参加者に渡すことができる。
【実施例２】
【００５８】
次に、実施例２では、ゴール（最終拠点）にて、写真プリントを受け取る例を説明する。
【００５９】
図９は、ゴールにて、写真プリントを印刷するスタンプ・システム２を示す概念図である。
スタンプ・システム２は、フォト・プリント装置８００とネットワーク接続された撮影装置６００と、スタンプ装置１００と、スタンプ帖７００と、から構成される。
各拠点Ａ、Ｂ、・・・には、夫々、同一の構成及び機能を有するスタンプ装置１００と撮影装置６００が設置されている。
各拠点Ａ、Ｂ、・・・におけるスタンプ装置１００に備えられるメモリー（記憶部の一例）には、各スタンプ装置１００が設置された拠点を示す拠点データ（たとえば、各拠点に固有の識別番号からなる）が記憶されており、これらの拠点データは互いに異なる。
最終拠点には、スタンプ装置１００と撮影装置６００とともに、フォト・プリント装置８００が、設置されている。
【００６０】
撮影装置６００は、電子カメラ３００と、撮影モニター５０１を備える。
フォト・プリント装置８００は、カラープリンター４００と、ＲＦＩＤリーダーライター（Ｒ／Ｗ）と、を備える。
【００６１】
図１０は、スタンプ・システム２の利用手順の概要を説明する図である。
（１）スタンプ・ラリー参加者９００は、ラリーの拠点に到達して、備え付けられたスタンプ装置１００を用いて、所持するスタンプ帖７００にスタンプを押印する。
（２）スタンプ装置１００はスタンプ帖のＲＦＩＤチップ７０１を検知して、ＲＦＩＤチップ識別情報を読み取って、読み取ったＲＦＩＤチップ識別情報とスタンプ装置１００が有する拠点データを含む写真撮影指示情報を作成して、これを撮影装置６００に送信する。
（３）撮影装置６００は、写真撮影指示情報を受け付けて、撮影モニター画面を用いてスタンプ・ラリー参加者に撮影ポーズを確認させながら、表示ガイダンスや音声ガイダンスにて撮影のタイミングを知らせて、スタンプ・ラリー参加者を撮影する。
（４）撮影装置６００は、電子カメラ３００が撮像したスタンプ・ラリー参加者の写真データ３９１を取得して、これに、写真撮影指示情報に含まれるＲＦＩＤチップ識別情報と拠点データを関連付けて、フォト・プリント装置８００に送信する。
（５）フォト・プリント装置８００は、ＲＦＩＤチップ識別情報を関連付けた写真データ３９１を撮影装置６００から受信して、これを記憶部に記録する。
（６）スタンプ・ラリー参加者は、ラリーの最終拠点に到着するまで、これを続ける。
（７）スタンプ・ラリー参加者は、ラリーの最終拠点に到着して、所持するスタンプ帖７００にスタンプを押印して、撮影装置６００による撮影が終了すると、フォト・プリント装置８００に所持するスタンプ帖７００を近づけてかざす。
（８）フォト・プリント装置８００は、スタンプ帖のＲＦＩＤチップ７０１を検知して、ＲＦＩＤチップ識別情報を読み取って、読み取ったＲＦＩＤチップ識別情報に関連付けられた写真データを全て記憶部から呼び出して、カラープリンター４００にて写真プリント（たとえば、フォトアルバムにして印刷）する。
（９）スタンプ・ラリー参加者９００は、フォトアルバムを受け取る。
【００６２】
なお、スタンプ・ラリー参加者９００がラリーを途中で終了して、フォト・プリント装置８００に所持するスタンプ帖７００を近づけてかざした場合には、フォト・プリント装置８００は、このスタンプ帖７００のＲＦＩＤチップ識別情報に関連付けられた写真データをカラープリンター４００にてフォトアルバムにしても良い。
また、フォト・プリント装置８００は、スタンプ・ラリー参加者９００がフォトアルバムを印刷する回数に制限を設けても良い。
【００６３】
図１１は、撮影装置４００の詳細な構成を説明する図である。
撮影装置４００は、図７に記載した写真プリンター２００から、カラープリンター４００と制御装置５００の専用プログラムの印刷手段５３０を除去したものに、制御装置５００の専用プログラムに写真データ送信手段５２０を加えたもので構成される装置である。
【００６４】
写真データ送信手段５２０は、写真撮影指示情報１９１を受け付けて、モニター表示手段５１０が保持した写真データを読み取って、これに、写真撮影指示情報に含まれるＲＦＩＤチップ識別情報と拠点データを関連付けて、フォト・プリント装置８００に送信する。
【００６５】
図１２は、フォト・プリント装置８００の詳細な構成を説明する図である。
フォト・プリント装置８００は、図７に記載した写真プリンター２００から、電子カメラ３００と制御装置５００の専用プログラムのモニター表示手段５１０を除去したものに、Ｒ／Ｗ５０６と、Ｒ／Ｗアンテナ５０２と、制御装置５００の専用プログラムに写真データ受信手段５４０を加え、一括プリント機能を追加した印刷手段５３０から構成される装置である。
Ｒ／Ｗ５０６は、図３のスタンプ装置１００におけるＲＦＩＤリーダーライター１０８と同じである。
Ｒ／Ｗアンテナ５０２は、図３のスタンプ装置１００におけるＲＦＩＤアンテナ１０９と同じである。
【００６６】
写真データ受信手段５４０は、フォト・プリント装置８００が送信したＲＦＩＤチップ識別情報と拠点データとを関連付けた写真データ３９１を受信して、これを記憶部５０９に記録する。
印刷手段５３０は、Ｒ／Ｗ５０６が検知して読み取ったＲＦＩＤチップ識別情報と同じＲＦＩＤチップ識別情報に関連付けられた写真データを記憶部５０９から呼び出して、カラープリンター４００にて印刷する一括プリント機能を備える。
【００６７】
以上説明したように、上記実施例２によれば、スタンプ・ラリーのゴール後に写真プリントを当該スタンプ・ラリー参加者に手渡すことができる。
【実施例３】
【００６８】
次に、実施例３では、ＣＧ画像（スタンプラリーのキャラクター）を合成した写真プリントの実施例を説明する。
図６の（ｂ）を参照して、ＣＧ画像を合成した写真プリントを説明する。
例示した写真プリントは、スタンプ・ラリー参加者に一緒に、スタンプ・ラリーのキャラクターが合成されている。
このキャラクター合成写真プリントは、画像認識技術を用いて、以下の手順にて合成したものである。
（１）画像認識プログラム５８３は、写真データから、たとえば肌色領域をラリー参加者の顔画像として抽出する。
【００６９】
なお、画像認識プログラム５８３が、顔画像の目や唇の形状からラリー参加者の性別や年代などの参加者属性を推定しても良い。
【００７０】
（２）印刷手段５３０は、抽出した顔画像の脇にスタンプ・ラリーのキャラクターを合成する。このとき、複数の顔画像を抽出した場合には、抽出した顔画像の周辺で他の顔画像と重複しない位置にキャラクターを合成する。
【００７１】
このとき、印刷手段５３０は、参加者属性を推定している場合には、参加者属性に対応したキャラクター（たとえば、母親には親熊キャラクター、少女には小熊キャラクターなど）を所定の位置に合成しても良い。
【００７２】
以上説明したように、上記実施例３によれば、ＣＧキャラクターを合成した記念写真をスタンプ・ラリー参加者に渡すことができる。
【実施例４】
【００７３】
次に、実施例４では、ラリーチームの属性分析の実施例を説明する。
画像処理により写真に写ったラリーチームの人数を計測して、この計測した人数と、スタンプ装置１００が読み取ったＲＦＩＤチップ識別情報を用いることで、ラリーチームの人数やＲＦＩＤチップ識別情報を含むラリーチーム属性情報を作成する。
このラリーチームの属性分析は、画像認識技術を用いて、以下の手順にて処理する。
（１）印刷手段５３０は、スタンプ装置１００が送信する写真撮影指示情報１９１に含まれるＲＦＩＤチップ識別情報を読みとって、記憶部に保持する。
（２）画像認識プログラム５８３は、写真データから、たとえば肌色領域をラリー参加者の顔画像として抽出する。
（３）印刷手段５３０は、顔画像の個数を計測して、記憶部に保持したＲＦＩＤチップ識別情報の中から、最新のＲＦＩＤチップ識別情報を顔画像の個数を読み取って、ラリーチームの人数やＲＦＩＤチップ識別情報を含むラリーチーム属性情報を作成して、記憶部に記録する。
【００７４】
以上説明したように、上記実施例４によれば、ラリーチームの属性を分析することができる。
【実施例５】
【００７５】
次に、実施例５では、スタンプ帖７００に三次元ＣＧキャラクターを合成した動画を表示する実施例を説明する。
三次元ＣＧキャラクターを合成した動画は、ＡＲ（Ａｕｇｍｅｎｔｅｄ Ｒｅａｌｉｔｙ。拡張現実、あるいは、強化現実などという）の技術を用いて、容易に実現することができる。この動画像は、以下の手順にて、三次元ＣＧキャラクターを合成する。
（１）画像認識プログラム５８３は、写真データから、予め登録されたスタンプ帖の形状情報を用いて、スタンプ帖画像を抽出する。
（２）モニター表示手段５１０は、抽出したスタンプ帖画像をマーカーにして三次元空間座標を算出する。
（３）モニター表示手段５１０は、マーカーの三次元空間座標を用いて三次元ＣＧキャラクターをレンダリング処理して、写真データと合成して表示する。
【００７６】
以上説明したように、上記実施例５によれば、スタンプ帖７００に三次元ＣＧキャラクターを合成した動画を表示することで、アトラクションを提供することができる。
【００７７】
以上説明したように、本願発明によれば、物がもつ“思い出”的な要素が有りスタンプ・ラリー参加者にとってコレクション欲を満たさすというスタンプ・ラリーの利点（良さ）を生かしつつ（残しつつ）、更に、思い出の記念になる写真を、スタンプ・ラリー参加者に提供することができる。
【符号の説明】
【００７８】
１  スタンプ・システム
２  スタンプ・システム
１０１  電源プラグ
１０２  筐体グリップ部
１０３  筐体スタンプ部
１０４  化粧・認識用ＬＥＤ
１０５  スタンプ台
１０７  スピーカー（又はブザー）
１０８  ＲＦＩＤリーダーライター、Ｒ／Ｗ
１０９  ＲＦＩＤアンテナ
１１０  Ｒ／Ｗ通信スイッチ
１０９  ゴム印
２００  写真プリンター
２０１  写真プリント
３００  電子カメラ
３９１  写真データ
４００  カラープリンター
５００  制御装置
５０１  表示装置、撮影モニター、
５１０  モニター表示手段
５２０  写真データ送信手段
５３０  印刷手段
５４０  写真データ受信手段
６００  撮影装置
７００  スタンプ帖
７０１  ＲＦＩＤチップ
８００  フォト・プリント装置
【図１】
2011076277.tif 000003
【図２】
2011076277.tif 000004
【図３】
2011076277.tif 000005
【図４】
2011076277.tif 000006
【図５】
2011076277.tif 000007
【図６】
2011076277.tif 000008
【図７】
2011076277.tif 000009
【図８】
2011076277.tif 000010
【図９】
2011076277.tif 000011
【図１０】
2011076277.tif 000012
【図１１】
2011076277.tif 000013
【図１２】
2011076277.tif 000014